(57)【要約】【課題】  本発明は片手で挟着部が開放状態にさせるとともに、洗濯物を取り外すことができる物干し具を提供すること。【解決手段】フレームに複数個のピンチを吊り下げ部材を介して取付けた物干し具において、吊り下げ部材は、一端部が前記フレームに取付けられ、他端部がピンチの一方の摘み部に取付けられた第１の吊り下げ部材と、一端部がフレームに吊り下げ部材牽引機構を介して伸縮可能に取付けられ、他端部がピンチの他方の摘み部に取付けられ、第１の吊り下げ部材よりも長い寸法で、かつ、遊びがある状態で取り付けられた第２の吊り下げ部材とで構成され、吊り下げ部材牽引機構は、任意の操作によって第２の吊り下げ部材を牽引し、第２の吊り下げ部材の遊びをなくすことができることを特徴とする。【選択図】  図１
2016221187.tif 000002
【特許請求の範囲】
【請求項１】
フレームに複数個のピンチを吊り下げ部材を介して取付けた物干し具において、前記吊り下げ部材は、一端部が前記フレームに取付けられ、他端部が前記ピンチの一方の摘み部に取付けられた第１の吊り下げ部材と、一端部が前記フレームに吊り下げ部材牽引機構を介して伸縮可能に取付けられ、他端部が前記ピンチの他方の摘み部に取付けられ、前記第１の吊り下げ部材よりも長い寸法で、かつ、遊びがある状態で取り付けられた第２の吊り下げ部材とで構成され、前記吊り下げ部材牽引機構は、任意の操作によって前記第２の吊り下げ部材を牽引し、該第２の吊り下げ部材の遊びをなくすことができることを特徴とする物干し具。
【請求項２】
フレームに複数個のピンチを吊り下げ部材を介して取付けた物干し具において、前記吊り下げ部材は、一端部が前記フレームに取付けられ、他端部が前記ピンチの一方の摘み部に取付けられた第１の吊り下げ部材と、一端部が前記フレームに吊り下げ部材牽引機構を介して伸縮可能に取付けられ、他端部が前記ピンチの他方の摘み部に形成された透孔にスライド移動可能に挿入された状態で前記一方の摘み部に取付けられ、前記第１の吊り下げ部材よりも長い寸法で、かつ、遊びがある状態で取り付けられた第２の吊り下げ部材とで構成され、前記吊り下げ部材牽引機構は、任意の操作によって前記第２の吊り下げ部材を牽引し、該第２の吊り下げ部材の遊びをなくすことができることを特徴とする物干し具。
【請求項３】
前記フレームは２つ折りにできるものであって、該フレームは２つ折りにした際にピンチが外側に位置するように折りたたまれるものであり、前記ピンチはフレームを２つ折りにした際に他方の摘み部が一方の摘み部よりも上方に位置するように取り付けられ、前記吊り下げ部材牽引機構は、前記フレームを２つ折りした際に第２の吊り下げ部材を牽引できることを特徴とする請求項１又は請求項２のいずれかに記載の物干し具。
【請求項４】
前記第１の吊り下げ部材とフレームの取り付け部分には、フレームを２つ折りにして、洗濯物を下方へ引っ張った際に第１の吊り下げ部材に当接する突起が形成されていることを特徴とする請求項３に記載の物干し具。
【請求項５】
前記フレームには、フレームを２つ折りにした状態で保持できる保持手段が設けられていることを特徴とする請求項３又は請求項４のいずれかに記載の物干し具。
【請求項６】
前記フレームは伸縮できるものであって、該フレームを縮めることにより第２の吊り下げ部材を牽引できる吊り下げ部材牽引機構を備えたことを特徴とする請求項１又は請求項２のいずれかに記載の物干し具。
【請求項７】
前記ピンチは、挟持部の後端からヒンジ部までが段差なく形成されていることを特徴とする請求項１乃至請求項６のいずれかに記載の物干し具。
【発明の詳細な説明】
【技術分野】
【０００１】
本発明は洗濯物を吊り下げて干す場合等に使用される物干し具に関する。
【背景技術】
【０００２】
フレームに複数個のピンチを吊り下げ部材を介して取付けた物干し具において、前記吊り下げ部材を一端部が前記フレームに取付けられ、他端部が前記ピンチの一方の摘み部に取付けられた第１ の吊り下げ部材と、一端部が前記フレームに取付けられ、他端部が前記ピンチの他方の摘み部に取付けられた第２ の吊り下げ部材とで構成され、ピンチの挟持部に挟持された洗濯物等を取り外す場合、洗濯物を他方の摘み部に引張力が生じるように横方向に引張ることにより、一方の摘み部と他方の摘み部とが押し圧された状態となり、挟着部が開放状態となり、小さな引張力で容易にピンチより洗濯物等を取り外すことができる物干し具が知られている（特許文献１参照）。
【０００３】
このような物干し具は、洗濯物を他方の摘み部に引張力が生じるように横方向に引っ張らなければならず、片手でフレームをつかみ、もう一方の手で洗濯物を横方向に引っ張るという動作が必要だった。
【０００４】
したがって、片手で挟着部が開放状態にさせるとともに、洗濯物を取り外すことはできないという欠点があった。
【０００５】
また、通常の状態においても第２の吊り下げ部材に遊びがない状態なので、強風等により洗濯物が横方向に引っ張られた際に、ピンチの挟持力が弱くなり、洗濯物が外れてしまうおそれがあった。
【先行技術文献】
【特許文献】
【０００６】
【特許文献１】特許第４９１１４９０号公報
【発明の概要】
【発明が解決しようとする課題】
【０００７】
本発明は以上のような従来の欠点に鑑み、強風等によっても洗濯物が外れず、片手で挟持部を開放状態にさせるとことができ、容易に洗濯物を取り外すことができる物干し具を提供することを目的としている。
【０００８】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００９】
上記目的を達成するために、本発明はフレームに複数個のピンチを吊り下げ部材を介して取付けた物干し具において、前記吊り下げ部材は、一端部が前記フレームに取付けられ、他端部が前記ピンチの一方の摘み部に取付けられた第１の吊り下げ部材と、一端部が前記フレームに吊り下げ部材牽引機構を介して伸縮可能に取付けられ、他端部が前記ピンチの他方の摘み部に取付けられ、前記第１の吊り下げ部材よりも長い寸法で、かつ、遊びがある状態で取り付けられた第２の吊り下げ部材とで構成され、前記吊り下げ部材牽引機構は、任意の操作によって前記第２の吊り下げ部材を牽引し、該第２の吊り下げ部材の遊びをなくすことができることを特徴とする。
【発明の効果】
【００１０】
以上の説明から明らかなように、本発明にあっては次に列挙する効果が得られる。
（１）請求項１および請求項２に記載の各発明においては、任意の操作によって吊り下げ部材牽引機構によって第２の吊り下げ部材を牽引し、第２の吊り下げ部材の遊びをなくすことができる。
したがって、洗濯物を干している状態では、第２の吊り下げ部材には遊びがあるため、強風により洗濯物が外れてしまうことを防止できる。
（２）請求項３に記載の発明においては、前記（１）と同様な作用効果を得られるとともに、フレームは２つ折りにした際にピンチが外側に位置するように折りたたまれるとともに、他方の摘み部が一方の摘み部よりも上方に位置しているので、洗濯物を下方向に引っ張ることにより、第２の吊り下げ部材が他方の摘み部に対してピンチを開く方向にさらに力を加え、容易に洗濯物を取り外すことができる。
したがって、洗濯物を掴んで下方向に引っ張るだけで、洗濯物を痛めず、容易にピンチから取り外すことができる。
（３）また、フレームを２つ折りにした際にも上方へ突出可能なフックを備えているので、物干し具を物干し竿等にかけた状態で、洗濯物を取り外すことができる。
したがって、フレーム等を片手で押さえながら洗濯物を取り外す必要がなく、容易に取り外し作業を行うことができる。
（４）請求項４に記載の発明においても前記（１）〜（３）と同様な効果が得られるとともに、洗濯物を下方に引っ張った際に、第１の吊り下げ部材が突起と当接し、突起を軸に回動するので、第２の吊り下げ部材が他方の摘み部をさらに引っ張り、挟持力をさらに弱めることができる。
（５）請求項５に記載の発明においても前記（１）〜（４）と同様な効果が得られるとともに、２つ折り状態を保持できるので、洗濯物を下方に引っ張った際に、フレームが開く方向に動くことを防止でき、さらに容易にピンチから取り外すことができる。
（６）請求項６に記載の発明においても前記（１）と同様な効果が得られる。
（７）請求項７に記載の発明においても前記（１）〜（５）と同様な効果が得られるとともに、ピンチに洗濯物の始末部等が引っかからないので、洗濯物を痛めず、容易にピンチから取り外すことができる。
【図面の簡単な説明】
【００１１】
【図１】本発明を実施するための第１の形態の正面図。
【図２】本発明を実施するための第１の形態の平面図。
【図３】本発明を実施するための第１の形態の底面図。
【図４】図２の４−４線に沿う拡大断面図。
【図５】本発明を実施するための第１の形態のフレームを折りたたみ、ピンチが第２の吊り下げ部材のねじれにより倒れた状態の説明図。
【図６】本発明を実施するための第１の形態の洗濯物を付けた状態でフレームを折りたたんだ時の説明図。
【図７】本発明を実施するための第１の形態の洗濯物を取り外す時のピンチの動作説明図。
【図８】本発明を実施するための第２の形態の正面図。
【図９】本発明を実施するための第２の形態の平面図。
【図１０】本発明を実施するための第２の形態のフレームを折りたたんだ状態の説明図。
【図１１】本発明を実施するための第３の形態の正面図。
【図１２】本発明を実施するための第３の形態の底面図。
【図１３】図１２の１３−１３線に沿う拡大断面図。
【図１４】本発明を実施するための第４の形態の正面図。
【図１５】本発明を実施するための第４の形態のピンチの説明図。
【図１６】本発明を実施するための第５の形態の平面図。
【図１７】本発明を実施するための第５の形態の正面図。
【図１８】本発明を実施するための第５の形態のフレームを縮めた状態の説明図。動作説明図。
【発明を実施するための形態】
【００１２】
以下、図面に示す本発明を実施するための形態により、本発明を詳細に説明する。
【００１３】
図１ないし図７に示す本発明を実施するための第１の形態において、１は複数の洗濯物Ｗ（図６、図７）を干すことができる複数のピンチ２を備える物干し具で、この物干し具１は  ２つ折り可能なフレーム３と、一端部が前記フレーム３に取付けられ、他端部が前記ピンチ２の一方の摘み部２ａに取付けられた第１の吊り下げ部材４及び一端部が前記フレーム３に吊り下げ部材牽引機構５を介して伸縮可能に取付けられ、他端部が前記ピンチ２の他方の摘み部２ｂを遊挿状態で通過して一方の摘み部２ａに取付けられた第２の吊り下げ部材６により前記フレーム３に取付けられた複数個のピンチ２と、前記フレーム３に支持棒２２を介して設けられたフック７とで構成されている。
【００１４】
前記フレーム３は、平面視コ字状で、断面形状がコ字形状に形成された一対のフレーム本体３ａ及び３ｂの開放端部どうしを回動軸８により接続し、２つ折りにできるように構成され、フレームは２つ折りにした際にピンチ２が外側に位置するように折りたたまれる。このようにピンチ２が外側に位置するように２つ折にできることで、折りたたんだ状態でピンチ２に挟持された洗濯物Ｗを取り外すことができる。
【００１５】
また、フレーム３のピンチ２が取り付けられる部位には、コ字形の溝を塞ぐような取付部９が形成されている。本実施の形態においては、取付部９として薄板状のプレートをフレーム３の底面に固定して形成している。
【００１６】
なお、本実施の形態においては、折りたたんだ状態を保持できるように、フレーム３の短辺側の中央部の両側に保持手段１０としてマグネットが設けられている。
前記ピンチ２の一方の摘み部２ａには、前記第１の吊り下げ部材が取り付けられる取付孔１１が形成されており、他方の摘み部２ｂには前記第２の吊り下げ部材が遊挿される挿入孔１２が形成されている。
【００１７】
また、ピンチ２はフレーム３が２つ折りにされた状態において、他方の摘み部２ｂが一方の摘み部２ａよりも上方に位置するように取り付けられている。ここで、上方とは、正面視上方向（フック７が取り付けられている方向）であり、下方とは正面視下方向をいう。
【００１８】
なお、洗濯物Ｗを挟む挟持部１３やピンチ２の回動支点となるヒンジ部１４、ピンチ２に挟持力を付与するバネ材１５等は公知のピンチと同様に構成されている。
【００１９】
前記第１の吊り下げ部材４は、一端部が前記フレーム３の取付部９に前後左右方向に回動可能に取付けられ、他端部が前記ピンチの一方の摘み部２ａの取付孔１１に、ピンチ２が左右方向に回動可能となるように取付けられている。なお、前後方向とは平面視において上下方向（正面視において奥手前方向）、左右方向とは平面視及び正面視において左右方向をいう。
【００２０】
また、この第１の吊り下げ部材４とフレーム３との取り付け部分（吊り下げ部材の根本）であって、フレームを２つ折りにした際に下に位置する部位には、フレームを２つ折りにして、洗濯物Ｗを下方へ引っ張った際に第１の吊り下げ部材４に当接し、第１の吊り下げ部材４の回動を妨げ、ピンチの一方の摘み部２ａの取付孔１１を回動の支点させる突起１６が形成されている。
【００２１】
前記第２の吊り下げ部材６は、一端部が前記フレーム３に吊り下げ部材牽引機構５を介して取付けられ、他端部が前記ピンチ２の他方の摘み部２ｂに形成された挿入孔１２を遊挿状態で通過して、一方の摘み部２ａの内側に固定状態で取付けられている。
【００２２】
なお、本実施の形態においては、第２の吊り下げ部材６はベルト状の部材（いわゆる結束バンドのような部材）で形成されており、通常の状態（フレームを２つ折りにしていない状態）においては、第２の吊り下げ部材６には若干の遊びがあり、テンションがかかってなく、かつ、ねじりを加えた状態で取り付けられている。このようにねじりを加えた状態で取り付けることにより、図５に示すように、吊り下げ部材牽引機構５を操作して第２の吊り下げ部材６を牽引した際に、ピンチ２がねじりを加えられて方向へ倒れるため、収納の際にかさばらず収納することができる。
【００２３】
なお、洗濯物Ｗを挟持している状態では、ねじりによりピンチ２が倒れる力よりも洗濯物Ｗの自重が大きいため、第２の吊り下げ部材６を牽引してもピンチ２が倒れることはない。
【００２４】
前記吊り下げ部材牽引機構５は、前記フレーム３の回動軸８の両端に取り付けられ、回動軸８にともなって回動するリール部材１７と、該リール部材１７にそれぞれ固定された一方のワイヤー１８と、フレーム３に固定される他方のワイヤー１９と、該２本のワイヤー１８、１９間に設けられた帯状体２０とで構成されている。帯状体２０は前記フレーム本体３ａ及び３ｂの内部（コ字状の溝部分）にそれぞれ収納されており、該帯状体２０には前記第２の吊り下げ部材６の先端が固定状態で取り付けられている。
【００２５】
前記他方のワイヤー１９は、一端がフレーム本体３ａに収納されている帯状体２０に固定されている場合には、他端はフレーム本体３ｂに固定され、一端がフレーム本体３ｂに収納されている帯状体２０に固定されている場合には、他端はフレーム本体３ａに固定される。
【００２６】
なお、本実施の形態における任意の操作とは、フレーム３を２つ折りにすることであり、このような操作を行うことにより、回動軸８およびリール部材１７を回動させ第２の吊り下げ部材６を牽引することができる。
【００２７】
すなわち、前述のように対向するフレーム本体に他方のワイヤー１９の他端を固定することにより、フレーム３を２つ折りにすることで、一方のワイヤー１８がリール部材１７によって巻き取られるとともに、対向するフレーム本体が近づくため他方のワイヤー１９がフレーム本体内部に移動し、帯状体２０もリール部材１７に近づく方向へスライド移動する。このスライド移動した分だけ前記第２の吊り下げ部材が引っ張られ、ピンチ２の他方の摘み部２ｂに取り付けられている第２の吊り下げ部材６の遊びをなくすことができる。
【００２８】
前記フック７は、フレーム３の前面にガイドレール２１にスライド移動可能に取り付けられた支持棒２２を介して取り付けられており、フレーム３を２つ折りにする際には、ガイドレール２１を支持棒２２がスライド移動し、フレーム３を２つ折りにした際にも上方へ突出する。
【００２９】
本発明の物干し具１を使用する場合には、洗濯物Ｗが乾燥した後、その場であるいは室内に物干し具１を移動させフック７を引っ掛けた状態でフレーム３を２つ折りにする。
フレーム３を２つ折りにすると、リール部材１７が一方のワイヤー１８を巻き取るとともに、他方のワイヤー１９は対向するフレーム本体が近づくため、フレーム本体が近づいた分だけフレーム本体内部へと移動する。
【００３０】
その結果、帯状体２０が一方のワイヤー側へ移動し、帯状体２０に固定されている第２の吊り下げ部材６が牽引され、ピンチ２の他方の摘み部２ｂに取り付けられている第２の吊り下げ部材６の遊びをなくすことができる。
【００３１】
この状態で洗濯物Ｗを下方へ引っ張ると、第１の吊り下げ部材４は突起と当接し、この当接部分を回転軸としてピンチが下方向に回動する。そうすると第２の吊り下げ部材６は、他方の摘み部２ｂの挿入孔１２と干渉し、ピンチ２が開く方向に力を加え、ピンチ２の挟持部１３が開くため、少ない力で、かつ、洗濯物Ｗを痛めることなく、容易に洗濯物Ｗを取り外すことができる。
【００３２】
物干し具１はフック７により、物干し竿や室内のハンガーラック等により支持されているので、片手でフレーム３等を押さえた状態で洗濯物Ｗを引っ張らなくても、洗濯物Ｗを取り外すことができる。
【００３３】
なお、自重の重い洗濯物Ｗが挟持されている場合や、弱いバネ材１５を用いた物干し具１の場合には、フレーム３を２つ折りにし、ピンチ２の挟持力が弱まった段階で、洗濯物Ｗの自重により自動的にピンチ２から取り外される。
【００３４】
また、本発明のピンチ２は、第１の吊り下げ部材４および第２の吊り下げ部材６によりフレーム３に取り付けられているので、ピンチが他のピンチの摘み部間に入り込むことがなく、ピンチ２が絡んでしまうことを防止できる。
【００３５】
［発明を実施するための異なる形態］
次に、図８ないし図２２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３６】
図８ないし図１０に示す本発明を実施するための第２の形態において、前記本発明を実施するための第１の形態と主に異なる点は、ガイドレールを用いず、フレームに回動可能に取り付けた支持棒２２Ａによって取り付けられたフック７Ａを用いた点で、このように構成した物干し具１Ａにしても、前記本発明を実施するための第１の形態と同様な作用効果が得られる。
【００３７】
図１１ないし図１３に示す本発明を実施するための第３の形態において、前記本発明を実施するための第１の形態と主に異なる点は、紐状の部材（ワイヤーや紐等）で構成した第２の吊り下げ部材６Ａを用いた点で、このように構成した物干し具１Ｂにしても、前記本発明を実施するための第１の形態と同様な作用効果が得られる。
【００３８】
図１４および図１５に示す本発明を実施するための第４の形態において、前記本発明を実施するための第１の形態と主に異なる点は、ピンチの挟持部からヒンジ部の間に凹部等が形成されていると、ピンチのバネ強度によっては洗濯物Ｗを外す際に始末部（洋服等の端部の厚みある折り返し部分）が挟持部に引っかかって、洗濯物Ｗを痛めてしまうため、挟持部の後端からヒンジ部までが段差なく、摘み部とほぼ平行になるように形成したピンチ２Ａ用いた点で、このように構成した物干し具１Ｃにしても、前記本発明を実施するための第１の形態と同様な作用効果が得られるとともに、挟持部の後端（ヒンジ部側の端部）からヒンジ部の間に凹部等が形成されていないので、凹部等に洗濯物Ｗ端部の始末部が引っかかることがなく、洗濯物Ｗを外すことができる。
【００３９】
図１６ないし図１８に示す本発明を実施するための第５の形態において、前記本発明を実施するための第１の形態と主に異なる点は、バー部材２３および枢支ピン２４をパンタグラフ状に組み合わせ伸縮可能にしたフレーム３Ａにするとともに、該フレーム３Ａを縮めることにより第２の吊り下げ部材を牽引し、該第２の吊り下げ部材の遊びをなくすことができる吊り下げ部材牽引機構５Ａとした点で、このように構成した物干し具１Ｄにしても、前記本発明を実施するための第１の形態と同様な作用効果が得られる。
【００４０】
前記吊り下げ部材牽引機構５Ａは、第１の吊り下げ部材４を固定したバー部材２３ａに固定した場合、第２の吊り下げ部材６を前記第１の吊り下げ部材４を固定したバー部材２３ａと交差するように枢支ピン２４で枢支されたバー部材２３ｂに固定し、フレーム３Ａの伸縮により第２の吊り下げ部材を牽引するものである。このように前記第１の吊り下げ部材４および第２の吊り下げ部材６を固定することによって、図１８に示すようにフレーム３Ａを縮めた場合には、第２の吊り下げ部材６がピンチ２から離れる方向に牽引され、第２の吊り下げ部材の遊びをなくすことができる。本実施の形態においては、第２の吊り下げ部材６が通過できる透孔２５を第１の吊り下げ部材４の取付部付近のフレーム３Ａに形成し、該透孔２５に第２の吊り下げ部材６を通過させ、バー部材２３ｂに固定している。
【００４１】
なお、本発明の実施の形態においては、洗濯物を下方へ引っ張った際に第１の吊り下げ部材に当接し、回動の支点となる突起が形成されたものについて説明したが、この突起を用いない物干し具としてもよく、第１の吊り下げ部材を合成樹脂で形成したものについて説明したが、軟質の材料を用いて第１の吊り下げ部材を形成してもよい。この場合、回動の支点が取付孔１１ではなく、第１の吊り下げ部材と突起の当節部位又は第１の吊り下げ部材の根本となるが、このように構成しても回動時に第２の吊り下げ部材にはテンションがかかるため、洗濯物を掴んで下方向に引っ張るだけで、洗濯物を痛めず、容易にピンチから取り外すことができるという作用効果は得ることができる。
【００４２】
また、フレームを２つ折りした状態で保持できる保持手段として、マグネットを用いたものについて説明したが、保持手段はマグネットに限られず、係合片等を用いるものであってもよく、逆に保持手段を用いない物干し具としてもよい。
【００４３】
第１の吊り下げ部材はフレーム３と別体の物について説明したが、フレーム３と一体に形成してもよく、第２の吊り下げ部材は他端部が前記ピンチの他方の摘み部に形成された透孔にスライド移動可能に取り付けられ、前記一方の摘み部に固定したものについて説明したが、第２の吊り下げ部材の他端部を他方の摘み部に固定状態で取付けるものであっても良い。
【００４４】
コ字状のフレームを用い、このフレームの開口部に取付部９を設けたが、フレームはコ字状のものに限られず、また、取付部もフレームと一体に形成してもよい。
【００４５】
吊り下げ部材牽引機構は帯状体、一方のワイヤーおよび他方のワイヤーを用いなくとも、第２の吊り下げ部材を固定することができれば、例えば一本のワイヤーで構成してもよく、本実施の形態においては、フレームの溝部分に帯状体等を位置させたが、本発明はこれに限られず、フレームの内周面にスライド可能に取付ける等のように構成してもよい。
【００４６】
また、吊り下げ部材牽引機構に対して行う任意の操作としては、フレームを２つ折りにする操作についてのみ説明したが、本発明はこれに限られず、フレーム２つ折りにせず、リール部材を手で回す、一方のワイヤーを任意の位置にスライド移動させることができるスライダーを設けて、このスライダーをスライドさせる等の操作が考えられる。
【産業上の利用可能性】
【００４７】
本発明は物干し具を製造する産業で利用される。
【符号の説明】
【００４８】
１、１Ａ、１Ｂ、１Ｃ、１Ｄ：物干し具、
２、２Ａ：ピンチ、            ２ａ：一方の摘み部、
２ｂ：他方の摘み部、          ３、３Ａ：フレーム、
４：第１の吊り下げ部材、      ５：吊り下げ部材牽引機構、  
６、６Ａ：第２の吊り下げ部材、  
７：フック、                  ８：回動軸、
９：取付部、                  １０：保持手段、
１１：取付孔、                １２：挿入孔、
１３：挟持部、                １４：ヒンジ部、
１５：バネ材、                １６：突起、
１７：リール部材、            １８：一方のワイヤー、
１９：他方のワイヤー、        ２０：帯状体、
２１：ガイドレール、          ２２、２２Ａ：支持棒、
２３：バー部材、              ２４：枢支ピン、
２５：透孔、                  Ｗ：洗濯物。
【図１】
2016221187.tif 000003
【図２】
2016221187.tif 000004
【図３】
2016221187.tif 000005
【図４】
2016221187.tif 000006
【図５】
2016221187.tif 000007
【図６】
2016221187.tif 000008
【図７】
2016221187.tif 000009
【図８】
2016221187.tif 000010
【図９】
2016221187.tif 000011
【図１０】
2016221187.tif 000012
【図１１】
2016221187.tif 000013
【図１２】
2016221187.tif 000014
【図１３】
2016221187.tif 000015
【図１４】
2016221187.tif 000016
【図１５】
2016221187.tif 000017
【図１６】
2016221187.tif 000018
【図１７】
2016221187.tif 000019
【図１８】
2016221187.tif 000020